(57)【要約】ハウジングと、接地クリップと、アダプタサブアセンブリと、を有するアダプタである。接地クリップ及びアダプタサブアセンブリは、ハウジング内に配置されている。アダプタサブアセンブリは、同軸コネクタに結合可能な基端部と、プリント回路板に結合可能な先端部と、を備えている。サブアセンブリ内を通っている長尺な軸の形状をしている中心導体は、プリント回路板上に配置される導体と接触するためのボールコンタクト端部を有する。長尺な軸は、ボールコンタクトに近い領域にてテーパ状となっている。
2005522013.tif 000002
【特許請求の範囲】
【請求項１】
信号トレース及び接地部を有するプリント回路板を同軸コネクタに結合させる高周波アダプタであって、
前記プリント回路板に取り外し可能に結合されるように設計されたハウジングと、
前記ハウジングの後方内側部に配置されている接地クリップと、
アダプタサブアセンブリと、
から成り、
前記アダプタサブアセンブリは、
基端部と、先端部と、前記基端部と前記先端部とを連結させる長尺な軸と、を有するコンタクトと、
前記コンタクトを包囲している絶縁体と、
前記絶縁体を包囲している導電性の円筒形コネクタと、
から成り、
前記先端部は前記同軸コネクタと接続するように形成され、前記基端部は前記プリント回路板と接続するように形成され、前記長尺な軸は前記基端部においてテーパ状となっており、前記基端部はボールコンタクトで終結しており、前記ボールコンタクトは前記プリント回路板上の前記トレース上をスライドし、前記プリント回路板上の前記トレースを前記コンタクトに電気的に結合させ、
前記コンタクトは、前記導電性の円筒形コネクタ内に配置されており、前記導電性の円筒形コネクタと同心であることを特徴とするアダプタ。
【請求項２】
前記ハウジングはプラスチックで形成されていることを特徴とする請求項１に記載のアダプタ。
【請求項３】
前記ハウジングは、バレル形状であり、１対のアライメントピンを有する前面を有しており、前記１対のアライメントピンはパネルに嵌入されて前記ハウジングと前記パネルとを一直線上に適切に配置することを特徴とする請求項１に記載のアダプタ。
【請求項４】
前記ハウジングは、バレル形状であり、１対の穴を有する前面を有しており、前記１対の穴にはパネルに配置されているアライメントピンが嵌入されて前記ハウジングと前記パネルとを一直線上に適切に配置することを特徴とする請求項１に記載のアダプタ。
【請求項５】
前記ハウジングは、２つ以上の隣接するバレルを有しており、前記各バレルは、アダプタサブアセンブリを収容していることを特徴とする請求項１に記載のアダプタ。
【請求項６】
前記接地クリップは、前記ハウジングの前記後方内側部に押入されていることを特徴とする請求項１に記載のアダプタ。
【請求項７】
前記コンタクトは、前記絶縁体に押入されていることを特徴とする請求項１に記載のアダプタ。
【請求項８】
前記接地クリップは、長尺な平坦部分と、前記長尺な平坦部分の一端部に結合している第１の折り曲げ部分と、前記長尺な平坦部分の他端部に結合している第２の折り曲げ部分と、を有しているばねであり、前記第１の折り曲げ部分は、前記第２の折り曲げ部分に乗り上げる自由端部を有しており、前記接地クリップにばね力を提供し、もって、前記アダプタが前記プリント回路板に結合されたとき、前記長尺な平坦部分が前記プリント回路板に配置されている接地導体と接続するように、前記接地クリップは圧縮されることを特徴とする請求項１に記載のアダプタ。
【請求項９】
前記ボールコンタクトは楕円形状であることを特徴とする請求項１に記載のアダプタ。
【請求項１０】
前記ボールコンタクトは、中心部と、前記中心部に隣接する端部と、を有しており、前記ボールコンタクトは、前記中心部にて最も厚くなってることを特徴とする請求項１に記載のアダプタ。
【請求項１１】
プリント回路板を同軸コネクタに結合させるアダプタであって、
第１端部及び第２端部を有するハウジングと、
前記ハウジング内に配置されている中心導体と、
から成り、
前記ハウジングの前記第１端部は同軸コネクタに結合するように形成されており、前記ハウジングの前記第２端部はプリント回路板収容溝を有しており、前記収容溝は前記プリント回路板の一部の上をスライドするように形成されており、
前記中心導体は、前記プリント回路板の第１表面上に配置されている導電性コンタクトの上をスライドするプリント回路板接触端部を有しており、前記中心導体は、前記プリント回路板接触端部とは反対側に同軸コネクタ端部を有しており、前記同軸コネクタ端部は、長尺な軸によって、前記プリント回路板接触端部に連結されており、前記長尺な軸は、前記同軸コネクタ端部から遠く離れた領域にてテーパ状となっており、前記プリント回路板接触端部はボール形状となっていることを特徴とするアダプタ。
【請求項１２】
前記ハウジングは、プラスチックで形成されていることを特徴とする請求項１１に記載のアダプタ。
【請求項１３】
前記ハウジングは、バレル形状であり、１対のアライメントピンを有する前面を有しており、前記１対のアライメントピンはパネルに嵌入されて前記ハウジングと前記パネルとを一直線上に適切に配置することを特徴とする請求項１１に記載のアダプタ。
【請求項１４】
前記ハウジングは、バレル形状であり、１対の穴を有する前面を有しており、前記１対の穴にはパネルに配置されているアライメントピンが嵌入されて前記ハウジングと前記パネルとを一直線上に適切に配置することを特徴とする請求項１１に記載のアダプタ。
【請求項１５】
前記ハウジングは、２つ以上の隣接するバレルを有しており、前記各バレルは、アダプタサブアセンブリを収容していることを特徴とする請求項１１に記載のアダプタ。
【請求項１６】
前記アダプタは、更に、前記ハウジング内に配置されている接地クリップから成り、前記接地クリップは、前記プリント回路板において前記導電性コンタクトとは反対の側に配置されている接地コンタクトの上をスライドする接地コンタクトを有しており、前記プリント回路板が前記ハウジングの前記第２端部に機械部品を追加することなく挿入されるとき、前記中心導体及び接地クリップは、前記アダプタを前記プリント回路板に固定することを特徴とする請求項１１に記載のアダプタ。
【請求項１７】
前記接地クリップは、前記ハウジングの後方内側部に押入されていることを特徴とする請求項１１に記載のアダプタ。
【請求項１８】
前記コンタクトは、前記ハウジング内に配置されている絶縁体に押入されていることを特徴とする請求項１１に記載のアダプタ。
【請求項１９】
前記接地クリップは、長尺な平坦部分と、前記長尺な平坦部分の一端部に結合している第１の折り曲げ部分と、前記長尺な平坦部分の他端部に結合している第２の折り曲げ部分と、を有しているばねであり、前記第１の折り曲げ部分は、前記第２の折り曲げ部分に乗り上げる自由端部を有しており、前記接地クリップにばね力を提供し、もって、前記アダプタが前記プリント回路板に結合したとき、前記長尺な平坦部分が前記プリント回路板に配置されている接地導体と接続するように、前記接地クリップは圧縮されることを特徴とする請求項１６に記載のアダプタ。
【請求項２０】
前記ボールコンタクトは楕円形状であることを特徴とする請求項１１に記載のアダプタ。
【請求項２１】
前記ボールコンタクトは、中心部と、前記中心部に隣接する端部と、を有しており、前記ボールコンタクトは、前記中心部にて最も厚くなってることを特徴とする請求項１１に記載のアダプタ。
【発明の詳細な説明】
【技術分野】
【０００１】
本発明はカードエッジ同軸コネクタに関する。
【背景技術】
【０００２】
既存の電気カードエッジコネクタには様々な種類があるが、無線周波数に対して動作するコネクタとして最適なものは殆どない。周知の無線周波数カードエッジコネクタの場合、複雑な接地技術や、同軸伝送線路とプリント回路板上のトレースとの間において複雑な機械的接続や、はんだによる接続が必要とされる。このようなコネクタは、急速且つ容易に交換することが難しい。更に、あるコネクタは、各種異なる型の同軸コネクタに使用できるような万能な同軸接続構造を有していない。また、このような周知のコネクタの中には、モジュールとなっておらず、アレーに容易に使用できないものもある。
【発明の開示】
【発明が解決しようとする課題】
【０００３】
ろう或いは工具等による恒久的な結合を必要とせず、容易且つ素早く交換できるようにプリント回路板に組み付けられるアダプタを提供することが望まれている。更に、単独で或いはアレーに使用できるようなモジュールとなっているアダプタを提供することが望まれている。また、様々な型の同軸コネクタと使用できるように同軸コネクタインターフェースから独立している構成を有するアダプタを提供することが望ましい。更に、製造が単純で安価なアダプタを提供することが望ましい。
【課題を解決するための手段】
【０００４】
本発明の第１の概念によると、信号トレース及び接地部を有するプリント回路板を同軸コネクタに結合させる高周波アダプタが提供されている。該アダプタは、ハウジングと、接地クリップと、アダプタサブアセンブリと、を備えている。該ハウジングは、プリント回路板に取り外し可能に結合するように設計されている。接地クリップは、ハウジングの後方内側部に配置されている。アダプタサブアセンブリは、基端部と、先端部と、基端部と先端部とを連結させる長尺な軸と、を有するコンタクトを備えている。先端部は同軸コネクタと接続するように形成され、基端部はプリント回路板と接続するように形成されている。長尺な軸は基端部においてテーパ状となっており、基端部はボールコンタクトで終結している。ボールコンタクトはプリント回路板上のトレース上をスライドし、プリント回路板上のトレースをコンタクトに電気的に結合させる。絶縁体はコンタクトを包囲しており、導電性の円筒形コネクタは絶縁体を包囲しており、もって、コンタクトは、導電性の円筒形コネクタと同心となるように該導電性の円筒形コネクタ内に配置されている。
【０００５】
本発明の第２の概念によると、プリント回路板を同軸コネクタに結合させるアダプタが提供される。該アダプタはハウジング及び中心導体を備えている。ハウジングは、第１端部及び第２端部を有しており、ハウジングの第１端部は、標準同軸コネクタに結合するように形成されており、ハウジングの第２端部は、プリント回路板収容溝を有している。該収容溝は、プリント回路板の一部の上をスライドするように形成されている。中心導体は、ハウジング内に配置されており、プリント回路板の第１表面上に配置されている導電性コンタクトの上をスライドするプリント回路板接触端部を有している。中心導体は、プリント回路板接触端部とは反対側に同軸コネクタ端部を有しており、同軸コネクタ端部は、長尺な軸によって、プリント回路板接触端部に連結している。長尺な軸は、同軸コネクタから遠く離れた領域にてテーパ状となっており、接触端部はボール形状となっている。
【発明を実施するための最良の形態】
【０００６】
図１は、本発明の好適な実施例における高周波アダプタ１０の断面斜視図である。アダプタ１０は、プリント回路板１２と同軸コネクタ（図示せず）とを結合させるために使用される。アダプタ１０は、プリント回路板１２に取り外し可能に結合されるように設計されているハウジング１４を備えている。更に、接地クリップ１８は、ハウジング１４の後方内側部１６に配置されている。コンタクト２２と、該コンタクト２２を包囲している絶縁体２４と、該絶縁体２４を包囲している導電性の円筒形コネクタ２６と、を備えているアダプタサブアセンブリ２０はハウジング１４内に備えられている。コンタクト２２は、基端部２８と、先端部３０と、基端部２８と先端部３０とを連結させる長尺な軸３２と、を有している。コンタクト２２の先端部３０は、同軸コネクタ（図示せず）と接続するように設計されており、コンタクト２２の基端部２８は、プリント回路板１２と接続するように設計されている。長尺な軸３２は、基端部２８でテーパ状となっており、コンタクト２２の基端部は、ボールコンタクト３４で終結している。アダプタ１０がプリント回路板１２に結合されるとき、ボールコンタクト３４は、該プリント回路板１２上のトレース３６の上をスライドしてトレース３６とコンタクト２２とを電気的に結合させる。コンタクト２２の先端部３０は、同軸コネクタ（図示せず）に電気的に結合することができる。従って、アダプタ１０は、プリント回路板１２を同軸コネクタに結合させる。アダプタ１０は、例えば、ＢＮＣコネクタ、Ｆコネクタ等の同軸コネクタと結合することができる。
【０００７】
コンタクト２２がテーパ形状を有しているので、アダプタ１０は、コンタクト２２とプリント回路板１２とが電気的に接続されるときの振動による衝撃を低減させることができる。更に、コンタクト２２は、安定性の許容レベルを維持しながら撓むことができる。ボールコンタクト３４は、コンタクト２２の軸に完全には平行でないプリント回路板１２にアダプタが結合できる許容範囲内の可撓性を備えている。
【０００８】
好適な実施例において、ハウジング１４はプラスチックで形成されている。コンタクト２２は、絶縁体２４内に押入されており、絶縁体２４は外側円筒形導電性コネクタ２６内に押入されている。接地クリップ１８は、ハウジング１４の内側後部１６内に押入されている。
【０００９】
図６は、本発明の好適な実施例におけるシングルバレルハウジング１４０の斜視図である。シングルバレルハウジング１４０は、単体のアダプタサブアセンブリ２０を収容している。図７は、本発明の好適な実施例におけるダブルバレルハウジング２４０の斜視図である。ダブルバレルハウジング２４０は、１対のアダプタサブアセンブリ２０を収容する。各ハウジング１４０、２４０は、１対のアライメントピン４２を有する前面４０を有している。該アライメントピン４２は、パネル（図示せず）に嵌入されてハウジング１４０、２４０と該パネルとを一直線上に適切に配設する。図６に示されたシングルバレルハウジングの実施例において、１対のピン４２はバレルの両側に配置されている。図７に示されたダブルバレルハウジングの実施例において、各バレルには１つのピン４２が配置されている。若しくは、ハウジング１４０、２４０にはアライメントピン４２の代わりに、穴（図示せず）を設けて、ハウジングが取り付けられるパネルが、バレルハウジングと一直線上に配置されるように該ハウジングの穴に嵌入されるアライメントピンを有するようにしてもよい。
【００１０】
図２は、図１に示される中心コンタクト２２の基端部の側面図である。前述したように、コンタクト２２の基端部２８は、テーパ部分４４を有しており、ボールコンタクト３４で終結している。好適実施例におけるボールコンタクト３４は楕円形状であるが、他の形状、例えば、円筒形状或いは長円形状等の形状でもよい。ボールコンタクト３４は、中心部４６と、該中心部４６に隣接する端部４８と、を有している。ボールコンタクト３４は、中心部４６にて、最も厚くなっている。
【００１１】
図３は、本発明の好適実施例における接地クリップ１８の斜視図である。接地クリップは、長尺な平坦部分５０と、該平坦部分５０の一端部に結合している第１折り曲げ部分５２と、該平坦部分５０の他端部に結合している第２折り曲げ部分５４と、を有しているばねである。第１折り曲げ部分５２は、第２折り曲げ部分５４の一部に乗り上げている自由端部５６を有しており、接地クリップ１８にばね力を提供しており、もって、アダプタ１０がプリント回路板１２に結合されると、長尺な平坦部分５０がプリント回路板１２の下側に位置する接地導体（図示せず）と接続するように接地クリップ１８は圧縮される。
【００１２】
図４は、本発明の好適実施例における第１の厚みを有するプリント回路板に使用されるアダプタのシミュレーションによって得られた反射減衰量をトレース幅の値を変えて示しているグラフである。シミュレーションは、図２に示されるコンタクト及び厚さ約０．０６２インチのプリント回路板に対して行われた。デシベル表示の反射減衰量は縦軸にプロットし、メガヘルツ表示の周波数は横軸に沿ってプロットした。シミュレーションにおける反射減衰量は、ｄｃから２５００ＭＨｚまでは−３０デシベルよりも良好であることがグラフから分かる。
【００１３】
図５は、本発明の好適実施例における第２の厚みを有するプリント回路板に使用されるアダプタのシミュレーションによって得られた反射減衰量をトレース幅を変えて示している別のグラフである。シミュレーションは、図２に示されたコンタクト及び厚さ約０．０９３インチのプリント回路板に対して行われた。デシベル表示の反射減衰量は縦軸にプロットし、メガヘルツ表示の周波数は横軸に沿ってプロットした。シミュレーションにおける反射減衰量は、ｄｃから２５００ＭＨｚまでは−３０デシベルよりも良好であることがグラフから分かる。
【００１４】
本願のアダプタは、ろう或いは工具等による恒久的な結合を必要とせず、容易且つ素早く交換できるようにプリント回路板に組み付けられる、という利点を有する。更に、該アダプタは、単独で或いはアレーに使用することができるようにモジュールとなっている。また、アダプタは、様々な型の同軸コネクタに使用できるように、同軸コネクタインターフェースから独立して構成されている。
【００１５】
以上の説明文、実施例、及びデータは、本発明の構成物の使用及び製造を余すことなく説明している。本発明の趣旨及び範囲を逸脱しない多くの本願実施例が可能であるので、本発明は、添付の特許請求の範囲によって定められる。
【図面の簡単な説明】
【００１６】
【図１】本発明の好適な実施例における高周波アダプタの断面斜視図
【図２】中心コンタクトの基端部の側面図。
【図３】本発明の好適な実施例における接地クリップの斜視図。
【図４】本発明の好適な実施例における第１の厚さを有するプリント回路板に使用されるアダプタのシミュレーションから得られた反射減衰量を示すグラフ。
【図５】本発明の好適な実施例における第２の厚さを有するプリント回路板に使用されるアダプタのシミュレーションから得られた反射減衰量を示す別のグラフ。
【図６】本発明の好適な実施例におけるシングルバレルハウジングの斜視図。
【図７】本発明の好適な実施例におけるダブルバレルハウジングの斜視図。
【図１】
2005522013.tif 000003
【図２】
2005522013.tif 000004
【図３】
2005522013.tif 000005
【図４】
2005522013.tif 000006
【図５】
2005522013.tif 000007
【図６】
2005522013.tif 000008
【図７】
2005522013.tif 000009
【手続補正書】
【提出日】平成16年2月19日(2004.2.19)
【手続補正１】
【補正対象書類名】特許請求の範囲
【補正対象項目名】全文
【補正方法】変更
【補正の内容】
【特許請求の範囲】
【請求項１】
信号トレース及び接地部を有するプリント回路板を同軸コネクタに結合させる高周波アダプタであって、
前記プリント回路板に取り外し可能に結合されるように設計されたハウジングと、
前記ハウジングの後方内側部に配置されている接地クリップと、
アダプタサブアセンブリと、
から成り、
前記アダプタサブアセンブリは、
基端部と、先端部と、前記基端部と前記先端部とを連結させる長尺な軸と、を有するコンタクトと、
前記コンタクトを包囲している絶縁体と、
前記絶縁体を包囲している導電性の円筒形コネクタと、
から成り、
前記先端部は前記同軸コネクタと接続するように形成され、前記基端部は前記プリント回路板と接続するように形成され、前記長尺な軸は前記基端部においてテーパ状となっており、前記基端部はボールコンタクトで終結しており、前記ボールコンタクトは前記プリント回路板上の前記信号トレース上をスライドし、前記プリント回路板上の前記信号トレースを前記コンタクトに電気的に結合させ、前記接地クリップは前記プリント回路板の前記接地部上をスライドして前記接地部と電気的に結合し、
前記コンタクトは、前記導電性の円筒形コネクタ内に配置されており、前記導電性の円筒形コネクタと同心であり、前記導電性円筒形コネクタは、前記接地クリップに電気的に結合されており、前記コンタクトは前記接地クリップから絶縁されていることを特徴とするアダプタ。
【請求項２】
前記ハウジングはプラスチックで形成されていることを特徴とする請求項１に記載のアダプタ。
【請求項３】
前記ハウジングは、バレル形状であり、互いに平行に延びている１対のアライメントピンを有する前面を有していることを特徴とする請求項１に記載のアダプタ。
【請求項４】
前記ハウジングは、バレル形状であり、１対の平行な穴を有する前面を有しており、前記１対の穴にはパネルに配置されているアライメントピンが嵌入されて前記ハウジングと前記パネルとを一直線上に適切に配置することを特徴とする請求項１に記載のアダプタ。
【請求項５】
前記ハウジングは、２つ以上の隣接するバレルを有しており、前記各バレルは、アダプタサブアセンブリを収容していることを特徴とする請求項１に記載のアダプタ。
【請求項６】
前記接地クリップは、前記ハウジングの前記後方内側部に押入されていることを特徴とする請求項１に記載のアダプタ。
【請求項７】
前記コンタクトは、前記絶縁体に押入されていることを特徴とする請求項１に記載のアダプタ。
【請求項８】
前記接地クリップは、長尺な平坦部分と、前記長尺な平坦部分の一端部に結合している第１の折り曲げ部分と、前記長尺な平坦部分の他端部に結合している第２の折り曲げ部分と、を有しているばねであり、前記第１の折り曲げ部分は、前記第２の折り曲げ部分に乗り上げる自由端部を有しており、前記接地クリップにばね力を提供し、もって、前記アダプタが前記プリント回路板に結合されたとき、前記長尺な平坦部分が前記プリント回路板に配置されている接地導体と接続するように、前記接地クリップは圧縮されることを特徴とする請求項１に記載のアダプタ。
【請求項９】
前記ボールコンタクトは楕円形状であることを特徴とする請求項１に記載のアダプタ。
【請求項１０】
前記ボールコンタクトは、中心部と、前記中心部に隣接する端部と、を有しており、前記ボールコンタクトは、前記中心部にて最も厚くなってることを特徴とする請求項１に記載のアダプタ。
【請求項１１】
プリント回路板を同軸コネクタに結合させるアダプタであって、
第１端部及び第２端部を有し、非導電性素材からなるハウジングと、
前記ハウジング内に配置されている中心導体と、
から成り、
前記ハウジングの前記第１端部は同軸コネクタに結合するように形成されており、前記ハウジングの前記第２端部はプリント回路板収容溝を有しており、前記収容溝は前記プリント回路板の一部の上をスライドするように形成されており、
前記中心導体は、前記プリント回路板の第１表面上に配置されている導電性コンタクトの上をスライドするプリント回路板接触端部を有しており、前記中心導体は、前記プリント回路板接触端部とは反対側に同軸コネクタ端部を有しており、前記同軸コネクタ端部は、長尺な軸によって、前記プリント回路板接触端部に連結されており、前記長尺な軸は、前記同軸コネクタ端部から遠く離れた領域にてテーパ状となっており、前記プリント回路板接触端部はボール形状となっていることを特徴とするアダプタ。
【請求項１２】
前記ハウジングは、プラスチックで形成されていることを特徴とする請求項１１に記載のアダプタ。
【請求項１３】
前記ハウジングは、バレル形状であり、１対のアライメントピンを有する前面を有しており、前記１対のアライメントピンはパネルに嵌入されて前記ハウジングと前記パネルとを一直線上に適切に配置することを特徴とする請求項１１に記載のアダプタ。
【請求項１４】
前記ハウジングは、バレル形状であり、１対の穴を有する前面を有しており、前記１対の穴にはパネルに配置されているアライメントピンが嵌入されて前記ハウジングと前記パネルとを一直線上に適切に配置することを特徴とする請求項１１に記載のアダプタ。
【請求項１５】
前記ハウジングは、２つ以上の隣接するバレルを有しており、前記各バレルは、アダプタサブアセンブリを収容していることを特徴とする請求項１１に記載のアダプタ。
【請求項１６】
前記アダプタは、更に、前記ハウジング内に配置されている接地クリップから成り、前記接地クリップは、前記プリント回路板において前記導電性コンタクトとは反対の側に配置されている接地コンタクトの上をスライドする接地コンタクトを有しており、前記プリント回路板が前記ハウジングの前記第２端部に機械部品を追加することなく挿入されるとき、前記中心導体及び接地クリップは、前記アダプタを前記プリント回路板に固定することを特徴とする請求項１１に記載のアダプタ。
【請求項１７】
前記接地クリップは、前記ハウジングの後方内側部に押入されていることを特徴とする請求項１１に記載のアダプタ。
【請求項１８】
前記コンタクトは、前記ハウジング内に配置されている絶縁体に押入されていることを特徴とする請求項１１に記載のアダプタ。
【請求項１９】
前記接地クリップは、長尺な平坦部分と、前記長尺な平坦部分の一端部に結合している第１の折り曲げ部分と、前記長尺な平坦部分の他端部に結合している第２の折り曲げ部分と、を有しているばねであり、前記第１の折り曲げ部分は、前記第２の折り曲げ部分に乗り上げる自由端部を有しており、前記接地クリップにばね力を提供し、もって、前記アダプタが前記プリント回路板に結合したとき、前記長尺な平坦部分が前記プリント回路板に配置されている接地導体と接続するように、前記接地クリップは圧縮されることを特徴とする請求項１６に記載のアダプタ。
【請求項２０】
前記ボールコンタクトは楕円形状であることを特徴とする請求項１１に記載のアダプタ。
【請求項２１】
前記ボールコンタクトは、中心部と、前記中心部に隣接する端部と、を有しており、前記ボールコンタクトは、前記中心部にて最も厚くなってることを特徴とする請求項１１に記載のアダプタ。
【手続補正２】
【補正対象書類名】明細書
【補正対象項目名】全文
【補正方法】変更
【補正の内容】
【発明の詳細な説明】
【技術分野】
【０００１】
本発明はカードエッジ同軸コネクタに関する。
【背景技術】
【０００２】
既存の電気カードエッジコネクタには様々な種類があるが、無線周波数に対して動作するコネクタとして最適なものは殆どない。周知の無線周波数カードエッジコネクタの場合、複雑な接地技術や、同軸伝送線路とプリント回路板上のトレースとの間において複雑な機械的接続や、はんだによる接続が必要とされる。このようなコネクタは、急速且つ容易に交換することが難しい。更に、あるコネクタは、各種異なる型の同軸コネクタに使用できるような万能な同軸接続構造を有していない。また、このような周知のコネクタの中には、モジュールとなっておらず、アレーに容易に使用できないものもある。
【発明の開示】
【発明が解決しようとする課題】
【０００３】
ろう或いは工具等による恒久的な結合を必要とせず、容易且つ素早く交換できるようにプリント回路板に組み付けられるアダプタを提供することが望まれている。更に、単独で或いはアレーに使用できるようなモジュールとなっているアダプタを提供することが望まれている。また、様々な型の同軸コネクタと使用できるように同軸コネクタインターフェースから独立している構成を有するアダプタを提供することが望ましい。更に、製造が単純で安価なアダプタを提供することが望ましい。
【課題を解決するための手段】
【０００４】
本発明の第１の概念によると、信号トレース及び接地部を有するプリント回路板を同軸コネクタに結合させる高周波アダプタが提供されている。該アダプタは、ハウジングと、接地クリップと、アダプタサブアセンブリと、を備えている。該ハウジングは、プリント回路板に取り外し可能に結合するように設計されている。接地クリップは、ハウジングの後方内側部に配置されている。アダプタサブアセンブリは、基端部と、先端部と、基端部と先端部とを連結させる長尺な軸と、を有するコンタクトを備えている。先端部は同軸コネクタと接続するように形成され、基端部はプリント回路板と接続するように形成されている。長尺な軸は基端部においてテーパ状となっており、基端部はボールコンタクトで終結している。ボールコンタクトはプリント回路板上のトレース上をスライドし、プリント回路板上のトレースをコンタクトに電気的に結合させる。絶縁体はコンタクトを包囲しており、導電性の円筒形コネクタは絶縁体を包囲しており、もって、コンタクトは、導電性の円筒形コネクタと同心となるように該導電性の円筒形コネクタ内に配置されている。
【０００５】
本発明の第２の概念によると、プリント回路板を同軸コネクタに結合させるアダプタが提供される。該アダプタはハウジング及び中心導体を備えている。ハウジングは、第１端部及び第２端部を有しており、ハウジングの第１端部は、標準同軸コネクタに結合するように形成されており、ハウジングの第２端部は、プリント回路板収容溝を有している。該収容溝は、プリント回路板の一部の上をスライドするように形成されている。中心導体は、ハウジング内に配置されており、プリント回路板の第１表面上に配置されている導電性コンタクトの上をスライドするプリント回路板接触端部を有している。中心導体は、プリント回路板接触端部とは反対側に同軸コネクタ端部を有しており、同軸コネクタ端部は、長尺な軸によって、プリント回路板接触端部に連結している。長尺な軸は、同軸コネクタから遠く離れた領域にてテーパ状となっており、接触端部はボール形状となっている。
【発明を実施するための最良の形態】
【０００６】
図１は、本発明の好適な実施例における高周波アダプタ１０の断面斜視図である。アダプタ１０は、プリント回路板１２と同軸コネクタ（図示せず）とを結合させるために使用される。アダプタ１０は、プリント回路板１２に取り外し可能に結合されるように設計されているハウジング１４を備えている。更に、接地クリップ１８は、ハウジング１４の後方内側部１６に配置されている。コンタクト２２と、該コンタクト２２を包囲している絶縁体２４と、該絶縁体２４を包囲している導電性の円筒形コネクタ２６と、を備えているアダプタサブアセンブリ２０はハウジング１４内に備えられている。コンタクト２２は、基端部２８と、先端部３０と、基端部２８と先端部３０とを連結させる長尺な軸３２と、を有している。コンタクト２２の先端部３０は、同軸コネクタ（図示せず）と接続するように設計されており、コンタクト２２の基端部２８は、プリント回路板１２と接続するように設計されている。長尺な軸３２は、基端部２８でテーパ状となっており、コンタクト２２の基端部は、ボールコンタクト３４で終結している。アダプタ１０がプリント回路板１２に結合されるとき、ボールコンタクト３４は、該プリント回路板１２上のトレース３６の上をスライドしてトレース３６とコンタクト２２とを電気的に結合させる。コンタクト２２の先端部３０は、同軸コネクタ（図示せず）に電気的に結合することができる。従って、アダプタ１０は、プリント回路板１２を同軸コネクタに結合させる。アダプタ１０は、例えば、ＢＮＣコネクタ、Ｆコネクタ等の同軸コネクタと結合することができる。
【０００７】
コンタクト２２がテーパ形状を有しているので、アダプタ１０は、コンタクト２２とプリント回路板１２とが電気的に接続されるときの振動による衝撃を低減させることができる。更に、コンタクト２２は、安定性の許容レベルを維持しながら撓むことができる。ボールコンタクト３４は、コンタクト２２の軸に完全には平行でないプリント回路板１２にアダプタが結合できる許容範囲内の可撓性を備えている。
【０００８】
好適な実施例において、ハウジング１４はプラスチックで形成されている。コンタクト２２は、絶縁体２４内に押入されており、絶縁体２４は外側円筒形導電性コネクタ２６内に押入されている。接地クリップ１８は、ハウジング１４の内側後部１６内に押入されている。
【０００９】
図６は、本発明の好適な実施例におけるシングルバレルハウジング１４０の斜視図である。シングルバレルハウジング１４０は、単体のアダプタサブアセンブリ２０を収容している。図７は、本発明の好適な実施例におけるダブルバレルハウジング２４０の斜視図である。ダブルバレルハウジング２４０は、１対のアダプタサブアセンブリ２０を収容する。各ハウジング１４０、２４０は、１対のアライメントピン４２を有する前面４０を有している。該アライメントピン４２は、パネル（図示せず）に嵌入されてハウジング１４０、２４０と該パネルとを一直線上に適切に配設する。図６に示されたシングルバレルハウジングの実施例において、１対のピン４２はバレルの両側に配置されている。図７に示されたダブルバレルハウジングの実施例において、各バレルには１つのピン４２が配置されている。若しくは、ハウジング１４０、２４０にはアライメントピン４２の代わりに、図８に示される穴６２を設けて、ハウジングが取り付けられるパネルが、バレルハウジングと一直線上に配置されるように該ハウジングの穴に嵌入されるアライメントピンを有するようにしてもよい。
【００１０】
図２は、図１に示される中心コンタクト２２の基端部の側面図である。前述したように、コンタクト２２の基端部２８は、テーパ部分４４を有しており、ボールコンタクト３４で終結している。好適実施例におけるボールコンタクト３４は楕円形状であるが、他の形状、例えば、円筒形状或いは長円形状等の形状でもよい。ボールコンタクト３４は、中心部４６と、該中心部４６に隣接する端部４８と、を有している。ボールコンタクト３４は、中心部４６にて、最も厚くなっている。
【００１１】
図３は、本発明の好適実施例における接地クリップ１８の斜視図である。接地クリップは、長尺な平坦部分５０と、該平坦部分５０の一端部に結合している第１折り曲げ部分５２と、該平坦部分５０の他端部に結合している第２折り曲げ部分５４と、を有しているばねである。第１折り曲げ部分５２は、第２折り曲げ部分５４の一部に乗り上げている自由端部５６を有しており、接地クリップ１８にばね力を提供しており、もって、アダプタ１０がプリント回路板１２に結合されると、長尺な平坦部分５０がプリント回路板１２の下側に位置する図１に示された接地導体コンタクト６０と接続するように接地クリップ１８は圧縮される。
【００１２】
図４は、本発明の好適実施例における第１の厚みを有するプリント回路板に使用されるアダプタのシミュレーションによって得られた反射減衰量をトレース幅の値を変えて示しているグラフである。シミュレーションは、図２に示されるコンタクト及び厚さ約０．０６２インチのプリント回路板に対して行われた。デシベル表示の反射減衰量は縦軸にプロットし、メガヘルツ表示の周波数は横軸に沿ってプロットした。シミュレーションにおける反射減衰量は、ｄｃから２５００ＭＨｚまでは−３０デシベルよりも良好であることがグラフから分かる。
【００１３】
図５は、本発明の好適実施例における第２の厚みを有するプリント回路板に使用されるアダプタのシミュレーションによって得られた反射減衰量をトレース幅を変えて示している別のグラフである。シミュレーションは、図２に示されたコンタクト及び厚さ約０．０９３インチのプリント回路板に対して行われた。デシベル表示の反射減衰量は縦軸にプロットし、メガヘルツ表示の周波数は横軸に沿ってプロットした。シミュレーションにおける反射減衰量は、ｄｃから２５００ＭＨｚまでは−３０デシベルよりも良好であることがグラフから分かる。
【００１４】
本願のアダプタは、ろう或いは工具等による恒久的な結合を必要とせず、容易且つ素早く交換できるようにプリント回路板に組み付けられる、という利点を有する。更に、該アダプタは、単独で或いはアレーに使用することができるようにモジュールとなっている。また、アダプタは、様々な型の同軸コネクタに使用できるように、同軸コネクタインターフェースから独立して構成されている。
【００１５】
以上の説明文、実施例、及びデータは、本発明の構成物の使用及び製造を余すことなく説明している。本発明の趣旨及び範囲を逸脱しない多くの本願実施例が可能であるので、本発明は、添付の特許請求の範囲によって定められる。
【図面の簡単な説明】
【００１６】
【図１】本発明の好適な実施例における高周波アダプタの断面斜視図
【図２】中心コンタクトの基端部の側面図。
【図３】本発明の好適な実施例における接地クリップの斜視図。
【図４】本発明の好適な実施例における第１の厚さを有するプリント回路板に使用されるアダプタのシミュレーションから得られた反射減衰量を示すグラフ。
【図５】本発明の好適な実施例における第２の厚さを有するプリント回路板に使用されるアダプタのシミュレーションから得られた反射減衰量を示す別のグラフ。
【図６】本発明の好適な実施例におけるシングルバレルハウジングの斜視図。
【図７】本発明の好適な実施例におけるダブルバレルハウジングの斜視図。
【図８】本発明の別の実施例におけるダブルバレルハウジングの斜視図。
【手続補正３】
【補正対象書類名】図面
【補正対象項目名】図１
【補正方法】変更
【補正の内容】
【図１】
2005522013.tif 000010
【手続補正４】
【補正対象書類名】図面
【補正対象項目名】図８
【補正方法】追加
【補正の内容】
【図８】
2005522013.tif 000011
【国際調査報告】
2005522013.tif 000012
2005522013.tif 000013
2005522013.tif 000014